【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  ネックを有する個別飲料容器に使用するストッパであって、
上側エッジおよび下側エッジを有する略管状の側壁（３２）であって、前記飲料容器の前記ネック（５０)に圧入によりぴったり嵌まる寸法を有する側壁（３２)と、
該側壁（３２）から内側方向に延びる底部（３４）と、を含むストッパにおいて、
前記底部（３４）に一体型に取り付けられ且つ該底部(３４)から上方向に離間された平らな上部（８２）と、
前記底部（３４）に形成された開口部（３６）であって、その中にぴったりとストロー（５８）を受け取るような寸法で構成されており、前記平らな上部が第１上部および第２上部（６５）に分かれていてこれらの間にチャネル（７０）が設けられており、該チャネル（７０）は前記開口部（３６）とつながっていており、収納位置にあるときに前記ストロー（５８）の上部（６２，８８）を受け取るような寸法で構成されている開口部（３６）と、を備えたことを特徴とする個別飲料容器用ストッパ。
【請求項２】  前記底部（３４）と前記平らな上部（８２）とのうちの一方に形成された通気穴（３８）をさらに備えたことを特徴とする請求項１に記載のストッパ。
【請求項３】  前記チャネル（７０）は、前記収納位置にあるときに前記ストロー（５８）を保持するためのタブ（７８）が形成されていることを特徴とする前記請求項のいずれかに記載のストッパ。
【請求項４】  前記平らな上部（８２）に解放可能に取り付けられたステッカー（８４）をさらに備えたことを特徴とする前記請求項のいずれかに記載のストッパ。
【請求項５】  前記平らな上部（８２）は、側壁（３２）から離間しており、これらの間には周辺溝（６６）が形成されることを特徴とする前記請求項のいずれかに記載のストッパ。
【請求項６】  前記側壁が樽形（１５０）であることを特徴とする請求項５に記載のストッパ。
【請求項７】  前記側壁を上から見ると多角形状（１５２）となっていることを特徴とする請求項５に記載のストッパ。
【請求項８】  前記側壁が鋸歯形（１５４）を有することを特徴とする請求項５に記載のストッパ。
【請求項９】  前記側壁が分割（１５６）されていることを特徴とする請求項５に記
載のストッパ。
【請求項１０】  前記側壁が段付き形状（１５８）を有することを特徴とする請求項５に記載のストッパ。
【請求項１１】  前記側壁が外側に隆起した形状（１６０）を有することを特徴とする請求項５に記載のストッパ。
【請求項１２】  前記側壁が内側に隆起した形状（１６２）を有することを特徴とする請求項５に記載のストッパ。
【請求項１３】  前記側壁がそこから外側に延びる環状の輪（１６６）を有することを特徴とする請求項５に記載のストッパ。
【請求項１４】  前記側壁が模様付き外側表面（１６８）を有することを特徴とする請求項５に記載のストッパ。
【請求項１５】  前記側壁（３２）、前記底部（３４）、前記第１および第２上部（６５）、前記溝（６６）および前記チャネル（７０）の各々が全て薄肉壁を有することを特徴とする請求項５〜１４のいずれかに記載のストッパ。
【請求項１６】  前記側壁（３２）、前記底部（３４）、前記第１および第２上部（６５）、前記溝（６６）および前記チャネル（７０）の各々が全てほぼ同じ壁厚を有することを特徴とする請求項１５に記載のストッパ。
【請求項１７】  前記側壁（３２）が前記上側エッジから前記下側エッジに向けてやや内側に傾斜されていることを特徴とする請求項５〜１６のいずれかに記載のストッパ。
【請求項１８】  前記溝（６６）が底部内側円筒形表面を有することを特徴とする請求項５〜１７のいずれかに記載のストッパ。
【請求項１９】 前記開口部（３６）につながっており、そこから下側に延びてその中に前記ストロー（５８）がぴったり嵌まるよう受け取るような寸法を有するスリーブ（７２）をさらに含むことを特徴とする前記請求項のいずれかに記載のストッパ。
【請求項２０】 前記開口部（３６）に挿入され、該開口部にぴったりと嵌合するようなストロー（５８）をさらに含むことを特徴とする前記請求項のいずれかに記載のストッパ。
【請求項２１】 前記開口部（３６）を貫通して延び、前記ストッパに一体型に取り付けられたストローをさらに含むことを特徴とする請求項１〜１９のいずれかに記載のストッパ。
【請求項２２】 前記ストロー（５８）は、斜め切り下端部（１９６）を有している請求項２０または２１に記載のストッパ。
【請求項２３】  ネックおよび上部と下部とを有するストロー（５８）を有する個別飲料容器に使用するストッパであって、
上側エッジおよび下側エッジを有する略管状形であり且つ前記飲料容器の前記ネック内に圧入によりぴったり嵌まる寸法を有する側壁であって、前記上側エッジがほぼ１つの平面上にある側壁（３２）と、
該側壁（３２）から内側方向に延びる底部（３４）と、
を含むストッパにおいて、該ストッパは、
前記底部に形成され、前記ストロー（５８）がぴったり嵌まるよう受け取る開口部（３６）と、
前記開口部（３６）につながっており、そこから下側に延びてその中に前記ストロー（５８）がぴったり嵌まるよう受け取るような寸法を有するスリーブ（７２）と、
収納位置にあるときに前記ストロー（５８）の上部（６２）を受け取るための前記開口部（３６）につながったチャネル（７０）と、
を備えたことを特徴とする個別飲料容器用ストッパ。
【請求項２４】  前記底部（３４）と前記上部とのうちの一方に形成された通気穴（３８）をさらに含むことを特徴とする請求項２３に記載のストッパ。
【請求項２５】  前記チャネル（７０）は、前記側壁（３２）の前記上側エッジの平面にほぼ並行であり且つ前記上側エッジの下に離間されて設けられていることを特徴とする請求項２３または２４に記載のストッパ。
【請求項２６】 前記ストッパに一体型に取り付けられたストロー（５８）をさらに含むことを特徴とする請求項２３〜２５のいずれかに記載のストッパ。
【請求項２７】  前記ストロー（５８）は、上側端部から離間された波型部分（６４）を有することを特徴とする請求項２０、２１、２２、又は２６のいずれかに記載のストッパ。
【請求項２８】  ネックを有する個別飲料容器で使用するストッパにおいて、
上側エッジおよび下側エッジを有する略管状の側壁であって、前記飲料容器の前記ネック内に圧入によりぴったり嵌まる寸法を有する側壁（１３８）と、
該側壁から内側方向に延びる底部と、
該底部に一体型に取り付けられ且つ該底部から上方向に離間された平らな上部（１４０）と、
前記側壁（１３８）と前記飲料容器との間に形成された開口部（１４４）と、
を備えたことを特徴とする個別飲料容器用ストッパ。
【請求項２９】  前記側壁（１３８）と前記飲料容器との間に形成された通気穴（１４６）をさらに含むことを特徴とする請求項２８に記載のストッパ。
【請求項３０】  前記個別飲料容器がサイドに注ぎ口を備えた切妻型の紙パック（１７２）であることを特徴とする前記請求項いずれかに記載のストッパ。
【請求項３１】  前記個別飲料容器が広口の個別ボトルであることを特徴とする前記請求項いずれかに記載のストッパ。
【請求項３２】  前記個別飲料容器が細口でネックの長い個別飲料容器であることを特徴とする前記請求項いずれかに記載のストッパ。